(57)【要約】【課題】簡易な配線構造により、複数の面状発光部の発光動作の自由度を高めることが可能な発光装置、を提供する。【解決手段】発光装置１０は、面方向に並んで配置される複数の面状発光部３１を備える。面状発光部３１は、透明基板４１と、透明基板４１上に設けられる有機層と、透明基板４１上に設けられ、外部からの電力を有機層に供給する電極部３８，３９と、電極部３８，３９から離れて透明基板４１上に設けられ、電極部３８，３９とは独立して通電可能な通電部２１とを含む。【選択図】図１
2017062965.tif 000002
【特許請求の範囲】
【請求項１】
面方向に並んで配置される複数の面状発光部を備え、
前記面状発光部は、
基板と、
前記基板上に設けられる発光素子と、
前記基板上に設けられ、外部からの電力を前記発光素子に供給する電極部と、
前記電極部から離れて前記基板上に設けられ、前記電極部とは独立して通電可能な通電部とを含む、発光装置。
【請求項２】
前記基板は、前記発光素子および前記電極部が設けられる第１面と、前記第１面の裏側に配置される第２面とを有し、
前記通電部は、前記第１面上に設けられる、請求項１に記載の発光装置。
【請求項３】
前記基板は、前記発光素子および前記電極部が設けられる第１面と、前記第１面の裏側に配置される第２面とを有し、
前記通電部は、前記第２面上に設けられる、請求項１または２に記載の発光装置。
【請求項４】
前記通電部は、前記第２面を正面から見た場合に、前記発光素子から発せられた光の発光領域からずれた位置に設けられる、請求項３に記載の発光装置。
【請求項５】
複数の前記面状発光部は、互いに隣り合って配置される第１面状発光部および第２面状発光部を含み、さらに、
前記第１面状発光部の前記通電部および前記第２面状発光部の前記電極部の間を接続する接続部を備え、
前記第１面状発光部の前記発光素子には、前記第１面状発光部の前記電極部を通じて電力が供給され、
前記第２面状発光部の前記発光素子には、前記第１面状発光部の前記通電部、前記接続部および前記第２面状発光部の前記電極部を通じて電力が供給される、請求項１から４のいずれか１項に記載の発光装置。
【発明の詳細な説明】
【技術分野】
【０００１】
この発明は、一般的には、発光装置に関し、より特定的には、面方向に並べられた複数の面状発光部を備える発光装置に関する。
【背景技術】
【０００２】
従来の発光装置に関して、たとえば、特開２００９−１３９４６３号公報には、非発光領域を小さくすることを目的とした、有機ＥＬ発光装置が開示されている（特許文献１）。特許文献１に開示された有機ＥＬ発光装置は、マトリクス状に配列された複数の有機ＥＬパネルと、複数の有機ＥＬパネルを保持するための保持板とを備える。有機ＥＬパネルは、基板と、基板に設けられた有機発光層を含む有機ＥＬ素子とを有する。複数の有機ＥＬパネルは、有機発光層が形成されている発光領域が互いに重なるように配置されている。
【先行技術文献】
【特許文献】
【０００３】
【特許文献１】特開２００９−１３９４６３号公報
【発明の概要】
【発明が解決しようとする課題】
【０００４】
上述の特許文献１に開示されるように、有機ＥＬパネル等の、複数の発光デバイスが面方向に並べられた発光装置が知られている。このような発光装置は、照明やバックライト、イルミネーション、電光掲示板などの用途で利用されており、その用途によっては、各発光デバイスを個別に発光させるなど、複数の発光デバイスの発光動作の自由度を高めることが求められる。しかしながら、この場合、各発光デバイスに対する電力供給を独立して行なう必要が生じるため、配線構造が複雑となる。
【０００５】
そこでこの発明の目的は、上記の課題を解決することであり、簡易な配線構造により、複数の面状発光部の発光動作の自由度を高めることが可能な発光装置を提供することである。
【課題を解決するための手段】
【０００６】
この発明に従った発光装置は、面方向に並んで配置される複数の面状発光部を備える。面状発光部は、基板と、基板上に設けられる発光素子と、基板上に設けられ、外部からの電力を発光素子に供給する電極部と、電極部から離れて基板上に設けられ、電極部とは独立して通電可能な通電部とを含む。
【０００７】
このように構成された発光装置によれば、面状発光部の通電部を利用して、その面状発光部とは別の面状発光部の発光素子に電力を供給することができる。これにより、簡易な配線構造により、複数の面状発光部の発光動作の自由度を高めることができる。
【０００８】
また好ましくは、基板は、発光素子および電極部が設けられる第１面と、第１面の裏側に配置される第２面とを有する。通電部は、第１面上に設けられる。
【０００９】
このように構成された発光装置によれば、発光素子および電極部と、通電部とが、基板の同じ面に設けられるため、面状発光部の製造工程を簡略化することができる。
【００１０】
また好ましくは、基板は、発光素子および電極部が設けられる第１面と、第１面の裏側に配置される第２面とを有する。通電部は、第２面上に設けられる。
【００１１】
このように構成された発光装置によれば、発光素子および電極部と、通電部とが、基板の異なる面に設けられるため、基板上における通電部の配置の自由度を高めることができる。
【００１２】
また好ましくは、通電部は、第２面を正面から見た場合に、発光素子から発せられた光の発光領域からずれた位置に設けられる。
【００１３】
このように構成された発光装置によれば、発光素子から発せられた光が通電部によって遮られることを抑制できる。
【００１４】
また好ましくは、複数の面状発光部は、互いに隣り合って配置される第１面状発光部および第２面状発光部を含む。発光装置は、第１面状発光部の通電部および第２面状発光部の電極部の間を接続する接続部をさらに備える。第１面状発光部の発光素子には、第１面状発光部の電極部を通じて電力が供給される。第２面状発光部の発光素子には、第１面状発光部の通電部、接続部および第２面状発光部の電極部を通じて電力が供給される。
【００１５】
このように構成された発光装置によれば、簡易な配線構造により、第１面状発光部および第２面状発光部を個別に発光させることができる。
【発明の効果】
【００１６】
以上に説明したように、この発明に従えば、簡易な配線構造により、複数の面状発光部の発光動作の自由度を高めることが可能な発光装置を提供することができる。
【図面の簡単な説明】
【００１７】
【図１】この発明の実施の形態１における発光装置を示す平面図である。
【図２】図１中のＩＩ−ＩＩ線上に沿った発光装置を示す断面図である。
【図３】図１および図２中に示す通電部の第１変形例を示す平面図である。
【図４】図１および図２中に示す通電部の第２変形例を示す平面図である。
【図５】図１および図２中に示す通電部の第３変形例を示す平面図である。
【図６】図１および図２中に示す通電部の第４変形例を示す平面図である。
【図７】図１および図２中に示す通電部の第５変形例を示す平面図である。
【図８】図１および図２中に示す通電部の第６変形例を示す平面図である。
【図９】図１および図２中に示す通電部の第７変形例を示す平面図である。
【図１０】この発明の実施の形態２における発光装置を示す平面図である。
【図１１】図１０中の矢印ＸＩに示す方向から見た発光装置を示す側面図である。
【図１２】図１０中のＸＩＩ−ＸＩＩ線上に沿った発光装置を示す断面図である。
【図１３】図１０から図１２中に示す通電部の第１変形例を示す平面図である。
【図１４】図１０から図１２中に示す通電部の第２変形例を示す平面図である。
【図１５】図１０から図１２中に示す通電部の第３変形例を示す平面図である。
【図１６】図１０から図１２中に示す通電部の第４変形例を示す平面図である。
【図１７】図１０から図１２中に示す通電部の第５変形例を示す平面図である。
【図１８】図１０から図１２中に示す通電部の第６変形例を示す平面図である。
【図１９】図１０から図１２中に示す通電部の第７変形例を示す平面図である。
【図２０】この発明の実施の形態３における発光装置が備える面状発光部を示す平面図である。
【図２１】図２０中のＸＸＩ−ＸＸＩ線上に沿った面状発光部を示す断面図である。
【図２２】図２０および図２１中に示す通電部の第１変形例を示す平面図である。
【図２３】図２０および図２１中に示す通電部の第２変形例を示す平面図である。
【図２４】図２０および図２１中に示す通電部の第３変形例を示す平面図である。
【図２５】図２０および図２１中に示す通電部の第４変形例を示す平面図である。
【図２６】図２０および図２１中に示す通電部の第５変形例を示す平面図である。
【図２７】この発明の実施の形態４における発光装置を示す平面図である。
【図２８】図２７中に示す発光装置の第１変形例を示す平面図である。
【図２９】図２８中の矢印ＸＸＩＸに示す方向から見た発光装置を示す側面図である。
【図３０】図２７中に示す発光装置の第２変形例を示す平面図である。
【発明を実施するための形態】
【００１８】
この発明の実施の形態について、図面を参照して説明する。なお、以下で参照する図面では、同一またはそれに相当する部材には、同じ番号が付されている。
【００１９】
（実施の形態１）
図１は、この発明の実施の形態１における発光装置を示す平面図である。図２は、図１中のＩＩ−ＩＩ線上に沿った発光装置を示す断面図である。
【００２０】
図１および図２を参照して、本実施の形態における発光装置１０は、薄板形状を有し、照明やバックライト、イルミネーション、電光掲示板等の様々な用途で用いられる。
【００２１】
発光装置１０は、複数の面状発光部３１を有する。面状発光部３１は、面状に延在する発光手段（発光デバイス）として設けられている。複数の面状発光部３１は、面方向に並んで配置されている。複数の面状発光部３１は、平面状に並んで配置されている。
【００２２】
本実施の形態では、面状発光部３１が、有機ＥＬパネルから構成されている。面状発光部３１は、可撓性を有しており、全体として曲げ可能である。
【００２３】
面状発光部３１は、発光面３１ｓおよび裏面３１ｔを有する。面状発光部３１は、発光面３１ｓから発光する。裏面３１ｔは、発光面３１ｓの裏側に配置されている。
【００２４】
面状発光部３１は、発光面３１ｓおよび裏面３１ｔを正面から見る平面視において、矩形形状を有する。面状発光部３１の厚みは、たとえば、５０μｍ〜２００μｍである。
【００２５】
本実施の形態では、複数の面状発光部３１として、面状発光部３１Ａおよび面状発光部３１Ｂが設けられている。面状発光部３１Ａおよび面状発光部３１Ｂは、互いに間隔を設けて配置されている。面状発光部３１Ａおよび面状発光部３１Ｂは、面状発光部３１の端辺同士が、互いに平行に延びて、向かい合わせとなるように配置されている。
【００２６】
面状発光部３１は、基板としての透明基板４１と、バリア層３２と、陽極（アノード）３３と、発光素子としての有機層３４と、陰極（カソード）３５と、封止層３６と、絶縁層３７とを有する。
【００２７】
透明基板４１は、面状発光部３１の発光面３１ｓ側に配置されている。バリア層３２は、発光面３１ｓとは反対側の透明基板４１の表面を覆うように設けられている。陽極３３、有機層３４および陰極３５は、バリア層３２上に順次積層されている。封止層３６は、陽極３３、有機層３４および陰極３５からなる積層体を覆うように設けられている。
【００２８】
透明基板４１は、第１面４１ｍと、第１面４１ｍの裏側に配置される第２面４１ｎとを有する。バリア層３２は、透明基板４１の第１面４１ｍを覆うように設けられている。有機層３４と、後述する電極部３８，３９とは、透明基板４１の第１面４１ｍ上に設けられている。透明基板４１の第２面４１ｎは、発光面３１ｓを構成している。
【００２９】
透明基板４１は、透明性を有する。透明基板４１を構成する部材としては、たとえば、ポリエチレンテレフタレート（ＰＥＴ）またはポリカーボネイト（ＰＣ）等の光透過性のフィルム基板や、薄いガラスなどが用いられる。
【００３０】
光透過性のフィルム基板としては、他にポリイミド、ポリエチレンナフタレート（ＰＥＮ）、ポリスチレン（ＰＳ）、ポリエーテルサルフォン（ＰＥＳ）またはポリプロピレン（ＰＰ）等が用いられる。
【００３１】
バリア層３２は、透明性を有する。バリア層３２は、たとえば、珪素酸化物や珪素窒化物等の珪素化合物、金属酸化物や金属窒化物等の金属化合物、またはこれらの混合物から構成されている。バリア層３２は、有機層３４を、大気中や基板中の水分および酸素等から保護するために設けられている。
【００３２】
陽極３３は、透明性を有する導電膜である。陽極３３を形成するためには、スパッタリング法等によって、ＩＴＯ（Indium Tin Oxide：インジウム錫酸化物）等が透明基板４１上に成膜される。陽極３３に用いられる他の材料としては、ポリエチレンジオキシチオフェン（ＰＥＤＯＴ）が用いられる。
【００３３】
有機層３４は、電源部５１，５２から電力が供給されることによって光（可視光）を生成することが可能である。有機層３４は、単層の発光層から構成されてもよく、正孔輸送層、発光層、正孔阻止層および電子輸送層などが順次積層されることによって構成されてもよい。
【００３４】
陰極３５は、たとえば、アルミニウム（Ａｌ）である。陰極３５は、真空蒸着法等によって有機層３４を覆うように形成されている。陰極３５を所定の形状にパターニングするために、真空蒸着の際にはマスクが用いられるとよい。陰極３５の他の材料としては、フッ化リチウム（ＬｉＦ）、ＡｌとＣａとの積層、ＡｌとＬｉＦとの積層、または、ＡｌとＢａとの積層等が用いられる。また、上記のアルミニウムに替わって、銀（Ａｇ）などの他の金属が用いられてもよい。
【００３５】
陰極３５と陽極３３とが短絡しないように、陰極３５と陽極３３との間には絶縁層３７が設けられている。絶縁層３７は、たとえば、スパッタリング法を用いてＳｉＯ２などが成膜された後、フォトリソグラフィ法等を用いて陰極３５と陽極３３とを互いに絶縁する箇所を覆うように所望のパターンに形成される。
【００３６】
封止層３６は、面状発光部３１の裏面３１ｔ側に配置されている。封止層３６は、絶縁性を有する樹脂から形成されている。封止層３６は、有機層３４を、大気中の水分や酸素等から保護するために設けられている。封止層３６は、陽極３３、有機層３４および陰極３５を透明基板４１上に封止する。なお、陽極３３の一部は、電気的な接続のために封止層３６から露出している。
【００３７】
封止層３６には、ＰＥＴ、ＰＥＮ、ＰＳ、ＰＥＳ、ポリイミド等のフィルムに、ＳｉＯ２、Ａｌ２Ｏ３、ＳｉＮｘ等の無機薄膜と、柔軟性のあるアクリル樹脂薄膜などとを層状に複数層重ね合わせることでガスバリア性を備えたものが用いられてもよい。
【００３８】
透明基板４１上には、電極部（陽極用）３８および電極部（陰極用）３９が設けられている。電極部（陽極用）３８および電極部（陰極用）３９は、電源部５１，５２から入力された電力を有機層３４に供給する。
【００３９】
より具体的には、封止層３６から露出している陽極３３の部分（図２中の左側の部分）が、電極部（陽極用）３８を構成する。電極部（陽極用）３８と陽極３３とは互いに同じ材料で構成される。封止層３６から露出している陰極３５の部分（図２中の右側の部分）が、電極部（陰極用）３９を構成する。電極部（陰極用）３９と陰極３５とは互いに同じ材料で構成される。
【００４０】
電極部（陽極用）３８および電極部（陰極用）３９は、面状発光部３１の端辺に沿って帯状に延びている。電極部（陽極用）３８および電極部（陰極用）３９は、透明基板４１の第１面４１ｍ上で互いに平行に延びている。面状発光部３１Ａおよび面状発光部３１Ｂは、両者の間において、電極部（陽極用）３８が一直線に並び、電極部（陰極用）３９が一直線に並ぶように配置されている。
【００４１】
面状発光部３１は、通電部２１をさらに有する。通電部２１は、導電性の部材から形成されている。通電部２１は、電極部３８，３９から離れて透明基板４１上に設けられている。通電部２１は、電極部３８，３９とは独立して通電可能なように構成されている。すなわち、各面状発光部３１において、通電部２１への通電時、電極部３８，３９で非通電の状態を得ることが可能であり、電極部３８，３９への通電時、通電部２１で非通電の状態を得ることが可能である。
【００４２】
通電部２１は、透明基板４１の第１面４１ｍ上に設けられている。通電部２１は、バリア層３２を介して、透明基板４１の第１面４１ｍに設けられている。通電部２１は、面状発光部３１の端辺に沿って帯状に延びている。通電部２１は、電極部３８，３９と平行に延びている。通電部２１は、透明基板４１上の積層構造において、電極部３８，３９と同一の層に設けられている。
【００４３】
面状発光部３１の製造工程時、通電部２１と、電極部３８または電極部３９とが、同じ配線形成（成膜）工程により製造されてもよい。この場合、面状発光部３１の製造工程の簡略化を図ることができる。
【００４４】
本実施の形態では、通電部２１として、通電部２１ａおよび通電部２１ｂが設けられている。通電部２１ａおよび通電部２１ｂは、透明基板４１の第１面４１ｍ上で互いに平行に帯状に延びている。通電部２１ａは、電極部（陽極用）３８に隣り合う位置で、電極部３８，３９に平行な面状発光部３１の一方の端辺に沿って設けられている。通電部２１ｂは、電極部（陰極用）３９に隣り合う位置で、電極部３８，３９に平行な面状発光部３１の他方の端辺に沿って設けられている。
【００４５】
面状発光部３１Ａおよび面状発光部３１Ｂは、両者の間において、通電部２１ａが一直線に並び、通電部２１ｂが一直線に並ぶように配置されている。
【００４６】
発光装置１０は、接続部６１および接続部６２をさらに有する。接続部６１および接続部６２は、導電性の部材から形成されている。接続部６１は、面状発光部３１Ａの通電部２１ａと、面状発光部３１Ｂの電極部（陽極用）３８との間を接続するように設けられている。接続部６２は、面状発光部３１Ａの通電部２１ｂと、面状発光部３１Ｂの電極部（陰極用）３９との間を接続するように設けられている。
【００４７】
接続部６１，６２は、互いに隣り合って配置された面状発光部３１Ａおよび面状発光部３１Ｂの間で配索されている。接続部６１，６２は、１つ以上の面状発光部３１を跨ぐように配索されていない。
【００４８】
電源部５１からの配線が、面状発光部３１Ａの電極部（陽極用）３８および電極部（陰極用）３９に接続されている。電源部５２からの配線が、面状発光部３１Ａの通電部２１ａおよび通電部２１ｂに接続されている。
【００４９】
以上のように構成される発光装置１０においては、電源部５１および面状発光部３１Ａの電極部３８，３９を含む電気回路によって、面状発光部３１Ａの有機層３４に電力が供給される。また、電源部５２、面状発光部３１Ａの通電部２１ａ、接続部６１、面状発光部３１Ｂの電極部３８，３９、接続部６２および面状発光部３１Ａの通電部２１ｂを含む電気回路によって、面状発光部３１Ｂの有機層３４に電力が供給される。電力供給により各面状発光部３１の有機層３４で生成された光は、陽極３３、バリア層３２および透明基板４１を通じて、発光面３１ｓから外部に出射される。
【００５０】
このような構成により、面状発光部３１Ａおよび面状発光部３１Ｂの発光動作を個別に制御することができる。この際、面状発光部３１Ｂへの電力供給には、面状発光部３１Ａの通電部２１を利用するため、電源部５２から面状発光部３１Ｂまで配線を配索する必要がない。これにより、発光装置１０における配線構造が複雑になることを防止したり、発光装置１０の製造コストの低減を図ったりすることができる。また、通電部２１が薄膜として設けられる場合、発光装置１０の厚みが増大することを抑制できる。
【００５１】
なお、本実施の形態では、面状発光部３１Ｂの通電部２１が電力供給用の配線として機能していない。このように本発明においては、一部の面状発光部の通電部が使用されなくてもよい。
【００５２】
続いて、図１および図２中に示す通電部２１の各種変形例について説明する。
図３から図５は、図１および図２中に示す通電部の第１〜第３変形例を示す平面図である。
【００５３】
図３に示す変形例では、電極部（陽極用）３８と隣り合う位置に、１本の通電部２１が設けられている。図４に示す変形例では、電極部（陽極用）３８と隣り合う位置に、２本の通電部２１（２１ａ，２１ｂ）が設けられている。図５に示す変形例では、電極部（陽極用）３８と隣り合う位置に、２本の通電部２１（２１ａ，２１ｂ）が設けられ、電極部（陰極用）３９と隣り合う位置に、２本の通電部２１（２１ｃ，２１ｄ）が設けられている。
【００５４】
これらの変形例に示すように、通電部２１の数は、２個に限られず、１個であってもよいし、３以上の複数個であってもよい。
【００５５】
図６から図９は、図１および図２中に示す通電部の第４〜第７変形例を示す平面図である。
【００５６】
図６に示す変形例では、電極部３８，３９に直交する面状発光部３１の一方の端辺に沿って、１本の通電部２１（２１ａ）が設けられ、電極部３８，３９に直交する面状発光部３１の他方の端辺に沿って、１本の通電部２１（２１ｂ）が設けられている。図７に示す変形例では、電極部３８，３９に直交する面状発光部３１の一方の端辺に沿って、１本の通電部２１が設けられている。
【００５７】
図８に示す変形例では、電極部３８，３９に直交する面状発光部３１の一方の端辺に沿って、２本の通電部２１（２１ａ，２１ｂ）が設けられ、電極部３８，３９に直交する面状発光部３１の他方の端辺に沿って、２本の通電部２１（２１ｃ，２１ｄ）が設けられている。図９に示す変形例では、電極部３８，３９に直交する面状発光部３１の一方の端辺に沿って、２本の通電部２１（２１ａ，２１ｂ）が設けられている。
【００５８】
これらの変形例に示すように、通電部２１は、電極部３８，３９と直交するように設けられてもよい。透明基板４１上において通電部２１が形成される位置は、特に限定されず、複数の面状発光部３１のレイアウトや、隣り合う面状発光部３１間における配線接続の構造によって、適宜変更される。
【００５９】
以上に説明した、この発明の実施の形態１における発光装置１０の構造についてまとめて説明すると、本実施の形態における発光装置１０は、面方向に並んで配置される複数の面状発光部３１を備える。面状発光部３１は、基板としての透明基板４１と、透明基板４１上に設けられる発光素子としての有機層３４と、透明基板４１上に設けられ、外部からの電力を有機層３４に供給する電極部３８，３９と、電極部３８，３９から離れて透明基板４１上に設けられ、電極部３８，３９とは独立して通電可能な通電部２１とを含む。
【００６０】
このように構成された、この発明の実施の形態１における発光装置によれば、簡易な配線構造により、複数の面状発光部３１の発光動作の自由度を高めることができる。
【００６１】
なお、本実施の形態では、裏面３１ｔが非発光面となる面状発光部３１について説明したが、このような構成に限られず、本発明における面状発光部は、裏面も発光面となる両面発光型であってもよい。また、本実施の形態では、面状発光部３１が可撓性を有する場合について説明したが、面状発光部３１は、曲げ変形不可なリジットな構成であってもよい。発光装置１０が全体として湾曲した形態で使用される場合、複数の面状発光部３１は、湾曲面状に並んで配置される。本発明における面状発光部は、有機ＥＬパネルに限られず、たとえば、無機ＥＬパネルであってもよい。
【００６２】
（実施の形態２）
図１０は、この発明の実施の形態２における発光装置を示す平面図である。図１１は、図１０中の矢印ＸＩに示す方向から見た発光装置を示す側面図である。図１２は、図１０中のＸＩＩ−ＸＩＩ線上に沿った発光装置を示す断面図である。
【００６３】
本実施の形態における発光装置は、実施の形態１における発光装置１０と比較して、基本的には同様の構造を備える。以下、重複する構造についてはその説明を繰り返さない。
【００６４】
図１０から図１２を参照して、本実施の形態における発光装置１２では、面状発光部３１が、実施の形態１における通電部２１に替えて、通電部２６を有する。通電部２６は、透明基板４１の第２面４１ｎ上に設けられている。通電部２６は、面状発光部３１の端辺に沿って帯状に延びている。通電部２６は、電極部３８，３９と平行に延びている。
【００６５】
通電部２６は、第２面４１ｎを正面から見た場合に、有機層３４から発せられた光の発光領域１１０からずれた位置に設けられている。発光領域１１０は、有機層３４のうちの、陰極３５および陽極３３の間で電圧が印加される領域である。
【００６６】
通電部２６は、透明性を有する導電部材から形成されてもよいし、光反射性を有する導電部材から形成されてもよい。
【００６７】
本実施の形態では、通電部２６として、通電部２６ａおよび通電部２６ｂが設けられている。通電部２６ａおよび通電部２６ｂは、透明基板４１の第２面４１ｎ上で互いに平行に帯状に延びている。通電部２６ａは、透明基板４１を挟んで、電極部（陽極用）３８の裏側に設けられている。通電部２６ｂは、透明基板４１を挟んで、電極部（陰極用）３９の裏側に設けられている。
【００６８】
面状発光部３１Ａおよび面状発光部３１Ｂは、両者の間において、通電部２６ａが一直線に並び、通電部２６ｂが一直線に並ぶように配置されている。
【００６９】
発光装置１０は、接続部６１および接続部６２を有する。接続部６１は、面状発光部３１Ａの通電部２６ａと、面状発光部３１Ｂの電極部（陽極用）３８との間を接続するように設けられている。接続部６２は、面状発光部３１Ａの通電部２６ｂと、面状発光部３１Ｂの電極部（陰極用）３９との間を接続するように設けられている。
【００７０】
電源部５１からの配線が、面状発光部３１Ａの電極部（陽極用）３８および電極部（陰極用）３９に接続されている。電源部５２からの配線が、面状発光部３１Ａの通電部２６ａおよび通電部２６ｂに接続されている。
【００７１】
以上のように構成される発光装置１２においては、電源部５１および面状発光部３１Ａの電極部３８，３９を含む電気回路によって、面状発光部３１Ａの有機層３４に電力が供給される。また、電源部５２、面状発光部３１Ａの通電部２６ａ、接続部６１、面状発光部３１Ｂの電極部３８，３９、接続部６２および面状発光部３１Ａの通電部２６ｂを含む電気回路によって、面状発光部３１Ｂの有機層３４に電力が供給される。
【００７２】
このような構成によれば、通電部２６と、有機層３４および電極部３８，３９とが、透明基板４１の異なる面に設けられるため、通電部２６のレイアウトの自由度を高まる。また、通電部２６を発光領域１１０からずれた位置に設けることによって、発光領域１１０を無駄にすることなく、非発光領域を利用して通電部２６を設置することができる。
【００７３】
続いて、図１０から図１２中に示す通電部２６の各種変形例について説明する。
図１３から図１５は、図１０から図１２中に示す通電部の第１〜第３変形例を示す平面図である。
【００７４】
図１３に示す変形例では、透明基板４１を挟んで電極部（陽極用）３８の裏側に、２本の通電部２６（２６ａ，２６ｂ）が設けられ、透明基板４１を挟んで電極部（陰極用）３９の裏側に、２本の通電部２６（２６ｃ，２６ｄ）が設けられている。図１４に示す変形例では、透明基板４１を挟んで電極部（陽極用）３８の裏側に、１本の通電部２６が設けられている。図１５に示す変形例では、透明基板４１を挟んで電極部（陽極用）３８の裏側に、２本の通電部２６（２６ａ，２６ｂ）が設けられている。
【００７５】
これらの変形例に示すように、通電部２６の数は、２個に限られず、１個であってもよいし、３以上の複数個であってもよい。
【００７６】
図１６から図１９は、図１０から図１２中に示す通電部の第４〜第７変形例を示す平面図である。
【００７７】
図１６に示す変形例では、電極部３８，３９に直交する面状発光部３１の一方の端辺に沿って、１本の通電部２６（２６ａ）が設けられ、電極部３８，３９に直交する面状発光部３１の他方の端辺に沿って、１本の通電部２６（２６ｂ）が設けられている。図１７に示す変形例では、電極部３８，３９に直交する面状発光部３１の一方の端辺に沿って、１本の通電部２６が設けられている。
【００７８】
図１８に示す変形例では、電極部３８，３９に直交する面状発光部３１の一方の端辺に沿って、２本の通電部２６（２６ａ，２６ｂ）が設けられている。図１９に示す変形例では、電極部３８，３９に直交する面状発光部３１の一方の端辺に沿って、２本の通電部２６（２６ａ，２６ｂ）が設けられ、電極部３８，３９に直交する面状発光部３１の他方の端辺に沿って、２本の通電部２６（２６ｃ，２６ｄ）が設けられている。
【００７９】
これらの変形例に示すように、通電部２６は、電極部３８，３９と直交するように設けられてもよい。
【００８０】
このように構成された、この発明の実施の形態２における発光装置によれば、実施の形態１に記載の効果を同様に奏することができる。
【００８１】
（実施の形態３）
本実施の形態では、実施の形態１における通電部２１および実施の形態２における通電部２６の各種組み合わせについて説明する。
【００８２】
図２０は、この発明の実施の形態３における発光装置が備える面状発光部を示す平面図である。図２１は、図２０中のＸＸＩ−ＸＸＩ線上に沿った面状発光部を示す断面図である。
【００８３】
図２０および図２１を参照して、本実施の形態では、面状発光部３１が、通電部２１および通電部２６を有する。通電部２１は、透明基板４１の第１面４１ｍ上に設けられている。通電部２６は、透明基板４１の第２面４１ｎ上に設けられている。通電部２１，２６は、面状発光部３１の端辺に沿って帯状に延びている。通電部２１，２６は、電極部３８，３９と平行に延びている。
【００８４】
本実施の形態では、通電部２１として、通電部２１ａおよび通電部２１ｂが設けられている。通電部２１ａは、電極部（陽極用）３８に隣り合う位置で、電極部３８，３９に平行な面状発光部３１の一方の端辺に沿って設けられている。通電部２１ｂは、電極部（陰極用）３９に隣り合う位置で、電極部３８，３９に平行な面状発光部３１の他方の端辺に沿って設けられている。
【００８５】
また、通電部２６として、通電部２６ａおよび通電部２６ｂが設けられている。通電部２６ａおよび通電部２６ｂは、透明基板４１の第２面４１ｎ上で互いに平行に帯状に延びている。通電部２６ａは、透明基板４１を挟んで通電部２１ａの裏側に設けられている。通電部２６ｂは、透明基板４１を挟んで通電部２１ｂの裏側に設けられている。
【００８６】
図２２および図２３は、図２０および図２１中に示す通電部の第１〜第２変形例を示す平面図である。
【００８７】
図２２に示す変形例では、面状発光部３１が、通電部２１（２１ａ，２１ｂ）と、通電部２６（２６ａ，２６ｂ）とを有する。通電部２１ａは、電極部（陽極用）３８に隣り合う位置で、電極部３８，３９に平行な面状発光部３１の一方の端辺に沿って設けられている。通電部２１ｂは、電極部（陰極用）３９に隣り合う位置で、電極部３８，３９に平行な面状発光部３１の他方の端辺に沿って設けられている。通電部２６ａは、電極部３８，３９に直交する面状発光部３１の一方の端辺に沿って設けられている。通電部２６ｂは、電極部３８，３９に直交する面状発光部３１の他方の端辺に沿って設けられている。
【００８８】
図２３に示す変形例では、面状発光部３１が、通電部２１（２１ａ，２１ｂ）と、通電部２６（２６ａ，２６ｂ）とを有する。通電部２１ａは、電極部３８，３９に直交する面状発光部３１の一方の端辺に沿って設けられている。通電部２１ｂは、電極部３８，３９に直交する面状発光部３１の他方の端辺に沿って設けられている。通電部２６ａは、電極部３８，３９に平行な面状発光部３１の一方の端辺に沿って設けられている。通電部２６ｂは、電極部３８，３９に平行な面状発光部３１の他方の端辺に沿って設けられている。
【００８９】
図２４から図２６は、図２０および図２１中に示す通電部の第３〜第５変形例を示す平面図である。
【００９０】
図２４に示す変形例では、面状発光部３１が、通電部２１（２１ａ，２１ｂ，２１ｃ，２１ｄ）を有する。通電部２１ａは、電極部（陽極用）３８に隣り合う位置で、電極部３８，３９に平行な面状発光部３１の一方の端辺に沿って設けられている。通電部２１ｂは、電極部（陰極用）３９に隣り合う位置で、電極部３８，３９に平行な面状発光部３１の他方の端辺に沿って設けられている。通電部２１ｃは、電極部３８，３９に直交する面状発光部３１の一方の端辺に沿って設けられている。通電部２１ｄは、電極部３８，３９に直交する面状発光部３１の他方の端辺に沿って設けられている。
【００９１】
図２５に示す変形例では、面状発光部３１が、通電部２６（２６ａ，２６ｂ，２６ｃ，２６ｄ）を有する。通電部２６ａは、電極部３８，３９に平行な面状発光部３１の一方の端辺に沿って設けられている。通電部２６ｂは、電極部３８，３９に平行な面状発光部３１の他方の端辺に沿って設けられている。通電部２６ｃは、電極部３８，３９に直交する面状発光部３１の一方の端辺に沿って設けられている。通電部２６ｄは、電極部３８，３９に直交する面状発光部３１の他方の端辺に沿って設けられている。
【００９２】
図２６に示す変形例では、面状発光部３１が、通電部２１（２１ａ，２１ｂ，２１ｃ，２１ｄ）と、通電部２６（２６ａ，２６ｂ，２６ｃ，２６ｄ）とを有する。
【００９３】
通電部２１ａは、電極部（陽極用）３８に隣り合う位置で、電極部３８，３９に平行な面状発光部３１の一方の端辺に沿って設けられている。通電部２１ｂは、電極部（陰極用）３９に隣り合う位置で、電極部３８，３９に平行な面状発光部３１の他方の端辺に沿って設けられている。通電部２１ｃは、電極部３８，３９に直交する面状発光部３１の一方の端辺に沿って設けられている。通電部２１ｄは、電極部３８，３９に直交する面状発光部３１の他方の端辺に沿って設けられている。
【００９４】
通電部２６ａは、電極部３８，３９に平行な面状発光部３１の一方の端辺に沿って設けられている。通電部２６ｂは、電極部３８，３９に平行な面状発光部３１の他方の端辺に沿って設けられている。通電部２６ｃは、電極部３８，３９に直交する面状発光部３１の一方の端辺に沿って設けられている。通電部２６ｄは、電極部３８，３９に直交する面状発光部３１の他方の端辺に沿って設けられている。通電部２６ａ、通電部２６ｂ、通電部２６ｃおよび通電部２６ｄは、それぞれ、透明基板４１を挟んで、通電部２１ａ、通電部２１ｂ、通電部２１ｃおよび通電部２１ｄの裏側に設けられている。
【００９５】
これらの変形例に示すように、実施の形態１における通電部２１および実施の形態２における通電部２６を適宜組み合わせて、面状発光部３１に設けてもよい。
【００９６】
このように構成された、この発明の実施の形態３における発光装置によれば、実施の形態１に記載の効果を同様に奏することができる。
【００９７】
（実施の形態４）
本実施の形態では、複数の面状発光部３１間における配線の接続構造の各種変形例について説明する。
【００９８】
図２７は、この発明の実施の形態４における発光装置を示す平面図である。図２７を参照して、本実施の形態における発光装置１４は、複数の面状発光部３１として、面状発光部３１Ａ、面状発光部３１Ｂ、面状発光部３１Ｃおよび面状発光部３１Ｄを有する。面状発光部３１Ａ、面状発光部３１Ｂ、面状発光部３１Ｃおよび面状発光部３１Ｄは、縦横のマトリクス状に配置されている。
【００９９】
より具体的には、面状発光部３１Ａおよび面状発光部３１Ｂは、両者の間において、電極部（陽極用）３８が一直線に並び、電極部（陰極用）３９が一直線に並ぶように配置されている。面状発光部３１Ｃおよび面状発光部３１Ｄは、両者の間において、電極部（陽極用）３８が一直線に並び、電極部（陰極用）３９が一直線に並ぶように配置されている。面状発光部３１Ａおよび面状発光部３１Ｃは、面状発光部３１Ａの電極部（陽極用）３８と、面状発光部３１Ｃの電極部（陰極用）３９とが隣り合って平行に延びるように配置されている。面状発光部３１Ｂおよび面状発光部３１Ｄは、面状発光部３１Ｂの電極部（陽極用）３８と、面状発光部３１Ｄの電極部（陰極用）３９とが隣り合って平行に延びるように配置されている。
【０１００】
面状発光部３１Ａ、面状発光部３１Ｂ、面状発光部３１Ｃおよび面状発光部３１Ｄは、通電部２１を有する。面状発光部３１Ａおよび面状発光部３１Ｂでは、通電部２１が、電極部（陰極用）３９に隣り合う位置で、電極部３８，３９に平行な面状発光部３１の他方の端辺に沿って設けられている。面状発光部３１Ｃおよび面状発光部３１Ｄでは、通電部２１が、電極部（陽極用）３８に隣り合う位置で、電極部３８，３９に平行な面状発光部３１の一方の端辺に沿って設けられている。
【０１０１】
発光装置１４は、接続部６１、接続部６２、接続部６３および接続部６４を有する。接続部６１は、面状発光部３１Ａの通電部２１と、面状発光部３１Ｂの電極部（陰極用）３９との間を接続するように設けられている。接続部６２は、面状発光部３１Ｂの電極部（陽極用）３８と、面状発光部３１Ｃの電極部（陰極用）３９との間を接続するように設けられている。電源部５１からの配線が、面状発光部３１Ｃの電極部（陽極用）３８および面状発光部３１Ａの通電部２１に接続されている。
【０１０２】
接続部６３は、面状発光部３１Ａの電極部（陽極用）３８と、面状発光部３１Ｄの電極部（陰極用）３９との間を接続するように設けられている。接続部６４は、面状発光部３１Ｃの通電部２１と、面状発光部３１Ｄの電極部（陽極用）３８との間を接続するように設けられている。電源部５２からの配線が、面状発光部３１Ａの電極部（陰極用）３９および面状発光部３１Ｃの通電部２１に接続されている。
【０１０３】
以上のように構成される発光装置１４においては、電源部５１、面状発光部３１Ｃの電極部３８，３９、接続部６２、面状発光部３１Ｂの電極部３８，３９、接続部６１および面状発光部３１Ａの通電部２１を含む電気回路によって、面状発光部３１Ｃおよび面状発光部３１Ｂの有機層３４に電力が供給される。また、電源部５２、面状発光部３１Ｃの通電部２１、接続部６４、面状発光部３１Ｄの電極部３８，３９、接続部６３および面状発光部３１Ａの電極部３８，３９を含む電気回路によって、面状発光部３１Ｄおよび面状発光部３１Ａの有機層３４に電力が供給される。
【０１０４】
このような構成により、面状発光部３１Ａおよび面状発光部３１Ｄの組と、面状発光部３１Ｂおよび面状発光部３１Ｃの組との発光動作を個別に制御することができる。
【０１０５】
本変形例に示すように、発光装置は、通電部が設けられる形態が異なる複数種類の面状発光部を有してもよい。また、接続部により接続する面状発光部の位置関係は、縦方向や横方向に限られず、斜め方向であってもよい。
【０１０６】
図２８は、図２７中に示す発光装置の第１変形例を示す平面図である。図２９は、図２８中の矢印ＸＸＩＸに示す方向から見た発光装置を示す側面図である。
【０１０７】
図２８および図２９を参照して、本変形例における発光装置１６は、複数の面状発光部３１として、面状発光部３１Ａ、面状発光部３１Ｂおよび面状発光部３１Ｃを有する。面状発光部３１Ａ、面状発光部３１Ｂおよび面状発光部３１Ｃは、挙げた順に一列に並んで設けられている。面状発光部３１Ａ、面状発光部３１Ｂおよび面状発光部３１Ｃは、これらの面状発光部３１間において、電極部（陽極用）３８が一直線に並び、電極部（陰極用）３９が一直線に並ぶように配置されている。
【０１０８】
面状発光部３１Ａ、面状発光部３１Ｂおよび面状発光部３１Ｃには、図２０および図２１に示す形態と同じ形態で、通電部２１（２１ａ，２１ｂ）と、通電部２６（２６ａ，２６ｂ）とが設けられている。
【０１０９】
発光装置１４は、接続部６１、接続部６２、接続部６３、接続部６４、接続部６５および接続部６６を有する。
【０１１０】
電源部５１からの配線が、面状発光部３１Ａの電極部（陽極用）３８および電極部（陰極用）３９に接続されている。
【０１１１】
接続部６１は、面状発光部３１Ａの通電部２１ａと、面状発光部３１Ｂの電極部（陽極用）３８との間を接続するように設けられている。接続部６２は、面状発光部３１Ｂの電極部（陰極用）３９と、面状発光部３１Ａの通電部２１ｂとの間を接続するように設けられている。電源部５２からの配線が、面状発光部３１Ａの通電部２１ａおよび通電部２１ｂに接続されている。
【０１１２】
接続部６３は、面状発光部３１Ａの通電部２６ａと、面状発光部３１Ｂの通電部２１ａとの間を接続するように設けられている。接続部６４は、面状発光部３１Ａの通電部２６ｂと、面状発光部３１Ｂの通電部２１ｂとの間を接続するように設けられている。接続部６５は、面状発光部３１Ｂの通電部２１ａと、面状発光部３１Ｃの電極部（陽極用）３８との間を接続するように設けられている。接続部６６は、面状発光部３１Ｂの通電部２１ｂと、面状発光部３１Ｃの電極部（陰極用）３９との間を接続するように設けられている。電源部５３からの配線が、面状発光部３１Ａの通電部２６ａおよび通電部２６ｂに接続されている。
【０１１３】
以上のように構成される発光装置１６においては、電源部５１および面状発光部３１Ａの電極部３８，３９を含む電気回路によって、面状発光部３１Ａの有機層３４に電力が供給される。また、電源部５２、面状発光部３１Ａの通電部２１ａ、接続部６１、面状発光部３１Ｂの電極部３８，３９、接続部６２および面状発光部３１Ａの通電部２１ｂを含む電気回路によって、面状発光部３１Ｂの有機層３４に電力が供給される。また、電源部５３、面状発光部３１Ａの通電部２６ａ、接続部６３、面状発光部３１Ｂの通電部２１ａ、接続部６５、面状発光部３１Ｃの電極部３８，３９、接続部６６、面状発光部３１Ｂの通電部２１ｂ、接続部６４および面状発光部３１Ａの通電部２６ｂを含む電気回路によって、面状発光部３１Ｃの有機層３４に電力が供給される。
【０１１４】
このような構成により、面状発光部３１Ａ、面状発光部３１Ｂおよび面状発光部３１Ｃの発光動作を個別に制御することができる。
【０１１５】
図３０は、図２７中に示す発光装置の第２変形例を示す平面図である。図３０を参照して、本変形例における発光装置１８は、複数の面状発光部３１として、面状発光部３１Ａ、面状発光部３１Ｂ、面状発光部３１Ｃおよび面状発光部３１Ｄを有する。面状発光部３１Ａ、面状発光部３１Ｂ、面状発光部３１Ｃおよび面状発光部３１Ｄは、縦横のマトリクス状に配置されている。
【０１１６】
より具体的には、面状発光部３１Ａおよび面状発光部３１Ｃは、両者の間において、電極部（陽極用）３８が一直線に並び、電極部（陰極用）３９が一直線に並ぶように配置されている。面状発光部３１Ｂおよび面状発光部３１Ｄは、両者の間において、電極部（陽極用）３８が一直線に並び、電極部（陰極用）３９が一直線に並ぶように配置されている。面状発光部３１Ａおよび面状発光部３１Ｂは、面状発光部３１Ａの電極部（陽極用）３８と、面状発光部３１Ｂの電極部（陰極用）３９とが隣り合って平行に延びるように配置されている。面状発光部３１Ｃおよび面状発光部３１Ｄは、面状発光部３１Ｃの電極部（陽極用）３８と、面状発光部３１Ｄの電極部（陰極用）３９とが隣り合って平行に延びるように配置されている。
【０１１７】
面状発光部３１Ａ、面状発光部３１Ｂ、面状発光部３１Ｃおよび面状発光部３１Ｄは、それぞれ、通電部２１として、通電部２１ａ、通電部２１ｂ、通電部２１ｃおよび通電部２１ｄを有する。
【０１１８】
通電部２１ａは、Ｌ字形状を有し、電極部（陰極用）３９と、電極部３８，３９に直交する面状発光部３１Ａの一方の端辺とに沿って設けられている。通電部２１ｂは、Ｌ字形状を有し、電極部（陽極用）３８と、電極部３８，３９に直交する面状発光部３１Ｂの一方の端辺とに沿って設けられている。通電部２１ｃは、Ｌ字形状を有し、電極部（陰極用）３９と、電極部３８，３９に直交する面状発光部３１Ｃの他方の端辺とに沿って設けられている。通電部２１ｄは、Ｌ字形状を有し、電極部（陽極用）３８と、電極部３８，３９に直交する面状発光部３１Ｄの他方の端辺とに沿って設けられている。
【０１１９】
発光装置１８は、接続部６１、接続部６２、接続部６３、接続部６４、接続部６５および接続部６６を有する。
【０１２０】
接続部６１は、面状発光部３１Ａの通電部２１ａと、面状発光部３１Ｂの通電部２１ｂとの間を接続するように設けられている。接続部６２は、面状発光部３１Ｂの通電部２１ｂと、面状発光部３１Ｄの電極部（陽極用）３８との間を接続するように設けられている。接続部６３は、面状発光部３１Ｄの電極部（陰極用）３９と、面状発光部３１Ａの電極部（陽極用）３８との間を接続するように設けられている。電源部５１からの配線が、面状発光部３１Ａの通電部２１ａおよび電極部（陰極用）３９に接続されている。
【０１２１】
接続部６４は、面状発光部３１Ｃの通電部２１ｃと、面状発光部３１Ｄの通電部２１ｄとの間を接続するように設けられている。接続部６５は、面状発光部３１Ｄの通電部２１ｄと、面状発光部３１Ｂの電極部（陽極用）３８との間を接続するように設けられている。接続部６６は、面状発光部３１Ｂの電極部（陰極用）３９と、面状発光部３１Ｃの電極部（陽極用）３８との間を接続するように設けられている。電源部５２からの配線が、面状発光部３１Ｃの通電部２１ｃおよび電極部（陰極用）３９に接続されている。
【０１２２】
以上のように構成される発光装置１８においては、電源部５１、面状発光部３１Ａの通電部２１ａ、接続部６１、面状発光部３１Ｂの通電部２１ｂ、接続部６２、面状発光部３１Ｄの電極部３８，３９、接続部６３および面状発光部３１Ａの電極部３８，３９を含む電気回路によって、面状発光部３１Ｄおよび面状発光部３１Ａの有機層３４に電力が供給される。また、電源部５２、面状発光部３１Ｃの通電部２１ｃ、接続部６４、面状発光部３１Ｄの通電部２１ｄ、接続部６５、面状発光部３１Ｂの電極部３８，３９、接続部６６、面状発光部３１Ｃの電極部３８，３９を含む電気回路によって、面状発光部３１Ｂおよび面状発光部３１Ｃの有機層３４に電力が供給される。
【０１２３】
このような構成により、面状発光部３１Ａおよび面状発光部３１Ｄの組と、面状発光部３１Ｂおよび面状発光部３１Ｃの組との発光動作を個別に制御することができる。
【０１２４】
本変形例に示すように、通電部２１（通電部２６）は、一直線に限られず、Ｌ字形状等の様々な形状を有してもよい。なお、以上に説明した実施の形態では、面状発光部３１が矩形の平面視を有する場合に説明したが、このような構成に限られず、多角形や丸みを帯びた形状等の平面視を有してもよい。
【０１２５】
このように構成された、この発明の実施の形態４における発光装置によれば、実施の形態１に記載の効果を同様に奏することができる。
【０１２６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１２７】
この発明は、主に、面方向に並べられた複数の面状発光部を備える発光装置に適用される。
【符号の説明】
【０１２８】
１０，１２，１４，１６，１８  発光装置，２１，２１ａ，２１ｂ，２１ｃ，２１ｄ，２６，２６ａ，２６ｂ，２６ｃ，２６ｄ  通電部、３１，３１Ａ，３１Ｂ，３１Ｃ，３１Ｄ  面状発光部、３１ｓ  発光面、３１ｔ  裏面、３２  バリア層、３３  陽極、３４  有機層、３５  陰極、３６  封止層、３７  絶縁層、３８  電極部（陽極用）、３９  電極部（陰極用）、４１  透明基板、４１ｍ  第１面、４１ｎ  第２面、５１，５２，５３  電源部、６１，６２，６３，６４，６５，６６  接続部、１１０  発光領域。
【図１】
2017062965.tif 000003
【図２】
2017062965.tif 000004
【図３】
2017062965.tif 000005
【図４】
2017062965.tif 000006
【図５】
2017062965.tif 000007
【図６】
2017062965.tif 000008
【図７】
2017062965.tif 000009
【図８】
2017062965.tif 000010
【図９】
2017062965.tif 000011
【図１０】
2017062965.tif 000012
【図１１】
2017062965.tif 000013
【図１２】
2017062965.tif 000014
【図１３】
2017062965.tif 000015
【図１４】
2017062965.tif 000016
【図１５】
2017062965.tif 000017
【図１６】
2017062965.tif 000018
【図１７】
2017062965.tif 000019
【図１８】
2017062965.tif 000020
【図１９】
2017062965.tif 000021
【図２０】
2017062965.tif 000022
【図２１】
2017062965.tif 000023
【図２２】
2017062965.tif 000024
【図２３】
2017062965.tif 000025
【図２４】
2017062965.tif 000026
【図２５】
2017062965.tif 000027
【図２６】
2017062965.tif 000028
【図２７】
2017062965.tif 000029
【図２８】
2017062965.tif 000030
【図２９】
2017062965.tif 000031
【図３０】
2017062965.tif 000032